(57)【要約】【課題】屋内側からの加熱に対して、柱を効果的に守れ、内装ボードの脱落を防げ、内装ボードの取付けも容易に行え、しかも、それらを現場施工容易に実現できる壁の耐火構造を提供する。【解決手段】例えば、鋼製柱１を挟む両側に外壁パネル２，２が配置されると共に、各外壁パネル２は、その屋内側で柱１の両側に位置して上下方向に延びる耐火板取付け下地桟２ａをそれぞれ備えたものからなり、これら両下地桟２ａ，２ａの屋内側の面部を取付け面とし、上下方向に延びる帯状の耐火板３が、これら下地桟２ａ，２ａにわたされて背後に柱１が位置するようにビス１６等で取り付けられ、該耐火板３を下地として内装ボード４がビス１７等で取り付けられている。耐火板３は、例えばマグネシウムセメント材からなる。【選択図】      図１
2009179974.tif 000002
【特許請求の範囲】
【請求項１】
柱を挟む両側に壁パネルが配置されると共に、各壁パネルは、その屋内側で柱の両側に位置して上下方向に延びる耐火板取付け下地をそれぞれ備えたものからなり、これら両下地の屋内側の面部を取付け面とし、上下方向に延びる帯状の耐火板が、これら下地にわたされて背後に前記柱が位置するようにビス又は釘で取り付けられ、該耐火板を下地として内装ボードがビス又は釘で取り付けられていることを特徴とする壁の耐火構造。
【請求項２】
前記耐火板がマグネシウムセメント材からなっている請求項１に記載の壁の耐火構造。
【発明の詳細な説明】
【技術分野】
【０００１】
本発明は、壁の耐火構造に関する。
【背景技術】
【０００２】
例えば、図３（イ）に示すような、鋼製柱５１を挟む両側に外壁パネル５２，５２が配置されて構成された建物外壁構造において、石こうボード等の内装ボード５３の取付けは、従来、図４に示すように、各外壁パネル５２，５２に、予め、屋内側において柱５１の両側に位置するように、木製の内装下地桟５２ａ，５２ａを取り付けておき、これら各外壁パネル５２，５２の建方を行った後、図３（ロ）に示すように、上記の各下地桟５２ａ，５２ａの屋内側の面部を取付け面として内装ボード５３をビス５４…で取り付けるというようにして行われている。
【特許文献１】特開２００４−３５３３３６号公報
【発明の開示】
【発明が解決しようとする課題】
【０００３】
しかしながら、上記のような構造では、耐火性能に関し、屋内側から加熱されると、加熱が進むに連れて内装下地桟５２ａ，５２ａが燃えだし、１時間経たないうちに、ビス５４…が保持力を失って内装ボード５３が脱落してしまうと共に、柱５１の荷重支持力も劣化してしまうおそれがあるという問題がある。
【０００４】
また、上記の外壁構造では、各下地桟５２ａが予め各外壁パネル５２に備えられており、そのため、建方との関係で、下地桟５２ａ，５２ａ間には、柱の幅寸法ないしはそれを越える寸法の間隔がおかれてしまい、また、各下地桟５２ａ，５２ａの幅寸法もそれぞれ例えば２４ｍｍ程度と小さく、そのため、内装ボード５３の取付けのためのビス打ち５４…を行いにくいという問題もある。
【０００５】
本発明は、上記のような問題点に鑑み、屋内側からの加熱に対して、柱を効果的に守ることができると共に、内装ボードの脱落を防ぐことができ、また、内装ボードの取付けも容易に行うことができ、しかも、それらを現場施工容易に実現することができる壁の耐火構造を提供することを課題とする。
【課題を解決するための手段】
【０００６】
上記の課題は、柱を挟む両側に壁パネルが配置されると共に、各壁パネルは、その屋内側で柱の両側に位置して上下方向に延びる耐火板取付け下地をそれぞれ備えたものからなり、これら両下地の屋内側の面部を取付け面とし、上下方向に延びる帯状の耐火板が、これら下地にわたされて背後に前記柱が位置するようにビス又は釘で取り付けられ、該耐火板を下地として内装ボードがビス又は釘で取り付けられていることを特徴とする壁の耐火構造によって解決される（第１発明）。
【０００７】
この構造では、柱の屋内側が帯状の耐火板でカバーされているので、屋内側からの加熱に対して、耐火性能上、柱を効果的に守ることができるのみならず、
上記の耐火板を下地として内装ボードがビス又は釘で取り付けられているので、屋内側からの加熱によって耐火板が燃え出してしまうこともなく、ビス又は釘が内装ボードをしっかりと保持して、内装ボードの脱落を防ぐことができ、
また、耐火板は、柱の屋内側をカバーすることができる大きな幅寸法を備えているので、ビス又は釘による内装ボードの取付けも施工容易に行っていくことができ、
しかも、各壁パネルは、その屋内側で柱の両側に位置して上下方向に延びる耐火板取付け下地をそれぞれ備えたものからなり、耐火板は、これら両下地にわたすように配置して各下地にビス又は釘で取り付られた構造となっているので、現場での耐火板の取付けを施工容易に行うことができる。
【０００８】
第１発明において、前記耐火板がマグネシウムセメント材からなっているとよい（第２発明）。マグネシウムセメント材は、耐火性能に優れ、しかも、ビス又は釘を打ち込むことができると共に、打ち込まれたビス又は釘をしっかりと保持することができて、第１発明における耐火板として最適な耐火板である。
【発明の効果】
【０００９】
本発明は、以上のとおりのものであるから、屋内側からの加熱に対して、柱を効果的に守ることができると共に、内装ボードの脱落を防ぐことができ、また、内装ボードの取付けも容易に行うことができ、しかも、それらを現場施工容易に実現することができる。
【発明を実施するための最良の形態】
【００１０】
次に、本発明の実施最良形態を図面に基づいて説明する。
【００１１】
図１（イ）に示す壁の耐火構造は、外壁に適用した場合のもので、１は柱、２，２は外壁パネル、３は耐火板、４は石こうボード等からなる内装ボードである。
【００１２】
柱１は、鋼製柱からなり、図２に示すように、その屋外側の面部には、ロックウールボードなどからなる屋外側耐火板５が取り付けられると共に、該耐火板５の屋外側の面部には二次止水材６が取り付けられている。
【００１３】
外壁パネル２は、図２に示すように、鋼製のパネルフレーム７の屋外側にグラスウールボード等からなる外張り断熱材８が設けられると共に、耐火性のスペーサー９を介して珪酸カルシウム板等からなる外壁面材１０が設けられ、外壁面材１０と外張り断熱材８との間の通気層１１が形成されたもので、外壁面材１０は、ビス１２で、スペーサー９と外張り断熱材８とを貫通してパネルフレーム７に取り付けられている。
【００１４】
また、各外壁パネル２において、パネルフレーム７において、柱１と隣り合うように配置される側枠７ａの屋内側の面部には、上下方向に延びる耐火板取付け下地桟２ａが、パネルフレーム７の側枠７ａから柱１側に突出しないように配置されて、焼入れ釘１３により取り付けられている。各外壁パネル２の下地桟２ａは、耐火材、具体的には本実施形態ではマグネシウムセメント材からなっている。なお、１４は一次止水材、１５，１５はロックウール等からなる断熱材、２０は防湿シート、２１は透湿防水シートである。
【００１５】
耐火板３は、幅寸法が例えば１２０ｍｍ程度の上下方向に延びる帯状のもので、本実施形態ではマグネシウムセメント材からなっている。
【００１６】
施工は、上記の各外壁パネル２，２を、パネルフレーム７の側枠７ａが柱１を両側から挟むように配置し、パネルフレーム７と柱１とをボルト等により結合して外壁パネル２，２の建方を終えた後、図１（ロ）に示すように、屋内側において、上下方向に延びる帯状の耐火板３を、各外壁パネル２，２の下地桟２ａ，２ａの屋内側の面部を取付け面として、これら下地桟２ａ，２ａにわたして背後に柱１が位置するようにビス１６で取り付け、しかる後、該耐火板３を下地として内装ボード４をビス１７で取り付けるというようにして行われる。
【００１７】
上記の耐火外壁構造では、柱１の屋内側が帯状の耐火板３でカバーされているので、屋内側からの加熱に対して、耐火性能上、柱１を効果的に守ることができる。
【００１８】
のみならず、上記の耐火板３を下地として内装ボード４がビス１７で取り付けられているので、屋内側からの加熱によって耐火板３が燃え出してしまうこともなく、ビス１７が内装ボード４をしっかりと保持して、内装ボード４の脱落を防ぐことができる。特に、本実施形態では、下地桟２ａ，２ａも耐火材で構成されているので、ビス１６が耐火板３をしっかりと保持することができる。
【００１９】
また、耐火板３は、柱１の屋内側をカバーすることができる上記のような例えば１２０ｍｍもの大きな幅寸法を備えているので、ビス１７による内装ボード４の取付けも施工容易に行っていくことができる。
【００２０】
そして、各外壁パネル２は、その屋内側で柱１の両側に位置して上下方向に延びる下地桟２ａを備えたものからなり、耐火板３は、これら両下地桟２ａ，２ａにわたすように配置して各下地桟２ａ，２ａにビス１６で取り付られた構造となっているので、現場での耐火板３の取付けを施工容易に行うことができる。
【００２１】
とりわけ、本実施形態では、耐火板３や下地桟２ａ，２ａがマグネシウムセメント材からなっているので、１時間を越えて耐える高い耐火性能を発揮でき、柱１をしっかりと守ることができると共に、打ち込まれたビス１６，１７をしっかりと保持して、内装ボード４や耐火板３の脱落を効果的に防ぐことができる。
【００２２】
以上に、本発明の実施形態を示したが、本発明はこれに限られるものではなく、発明思想を逸脱しない範囲で各種の変更が可能である。例えば、上記の実施形態では、柱１が鋼製柱からなり、外壁パネル２，２のパネルフレームも鋼製のものからなっている鉄骨造ないしは軽量鉄骨造の外壁に適用した場合を示したが、本発明は、柱などを木等とした木造等の外壁に適用することも可能であるし、また、外壁に限らず、両面がいずれも屋内に面する屋内の壁に適用することも可能である。
【００２３】
また、上記の実施形態では、耐火板３や下地桟２ａとして、マグネシウムセメント材を用いた場合を示したが、硬質木片セメント材などのその他の耐火材が用いられてもよい。
【図面の簡単な説明】
【００２４】
【図１】実施形態の壁の耐火構造を示すもので、図（イ）は断面平面図、図（ロ）は壁から耐火板と内装ボードとを分離させた断面平面図である。
【図２】同耐火構造を示すもので、柱と外壁パネルとを分離状態にした断面平面図である。
【図３】先行技術にかかる壁の構造を示すもので、図（イ）は断面平面図、図（ロ）は壁から耐火板と内装ボードとを分離させた断面平面図である。
【図４】同壁の構造を示すもので、柱と外壁パネルとを分離状態にした断面平面図である。
【符号の説明】
【００２５】
１…柱
２…外壁パネル（壁パネル）
２ａ…下地桟（下地）
３…耐火板
４…内装ボード
１６…ビス
１７…ビス
【図１】
2009179974.tif 000003
【図２】
2009179974.tif 000004
【図３】
2009179974.tif 000005
【図４】
2009179974.tif 000006